(57)【特許請求の範囲】
【請求項１】
外周に沿って凹部が形成された凹凸のある建物における外壁の割付図の作成作業を支援する設計システムにおいて、
前記凹部を含んだ場合の前記建物の仮想的な外周の範囲を表す建物領域と、前記建物領域と重なり合うように配置される前記凹部の範囲を表す凹部領域に基づいて、前記建物の外周領域を形成して線で表す外周領域形成手段と、
前記外周領域形成手段によって形成された前記外周領域を表す線に沿って、前記外壁を表す線の自動生成を行う外壁自動生成手段と、を備え、
前記外壁は、前記建物の外側に配置される外壁材と、前記建物の室内側に配置される外周間仕切材と、を含んで構成されており、
前記外壁自動生成手段によって、少なくとも前記外壁材と前記外周間仕切材を表す線を自動生成することを特徴とする建物の設計システム。
【請求項２】
請求項１に記載の建物の設計システムにおいて、
前記凹部は、前記建物の最も外側に位置する外壁面よりも室内側に後退した位置に外壁面が形成される箇所であり、
当該箇所は、玄関または／および当該玄関以外の凹部であるインナー部とされていることを特徴とする建物の設計システム。
【請求項３】
請求項１または２に記載の建物の設計システムにおいて、
前記凹部領域は複数の辺を備え、
当該複数の辺のうち少なくとも一辺は、前記建物領域に対して重なり合っており、
前記建物領域に対して重なり合う前記凹部領域の前記少なくとも一辺は、屋外に向かって開口する開口部が位置する辺であることを特徴とする建物の設計システム。
【請求項４】
外周に沿って凹部が形成された凹凸のある建物における外壁の割付を、当該外壁の割付図の作成作業を支援する設計システムによって行う建物の設計方法において、
前記外壁は、前記建物の外側に配置される外壁材と、前記建物の室内側に配置される外周間仕切材と、を含んで構成されるものであり、
前記設計システムに対して、前記外壁の自動生成を行うためのプログラムを予め記憶させておき、
前記設計システムによって、前記凹部を含んだ場合の前記建物の仮想的な外周の範囲を表す建物領域と、前記建物領域と重なり合うように配置される前記凹部の範囲を表す凹部領域とを作成することによって前記建物の外周領域を形成して線で表し、
その後、前記設計システムによって、前記プログラムに基づいて前記外周領域を表す線に沿って前記外壁を表す線の自動生成を行う際に、少なくとも前記外壁材と前記外周間仕切材を表す線を自動生成することを特徴とする建物の設計方法。
【発明の詳細な説明】
【技術分野】
【０００１】
本発明は、建物の設計システムおよび設計方法に関する。
【背景技術】
【０００２】
建物の設計を行うに際し、外壁パネル等の外装部材の割付図が作成されるとともに、必要な外装部材の数量を明記したオーダー（明細書）の作成が行われる。従来、割付図やオーダーの作成は、紙面上での手作業やコンピューターへの煩雑な打ち込み作業により行われており、手間や時間がかかるという問題があった。
このような問題を解決するべく、近年では、特許文献１に記載のように、コンピューターの表示画面上にて、建物各階の外周を表示した外周線上に沿って外装部材の配置を行うとともに、各外装部材の属性を選定することにより、自動的に割付図およびオーダーの作成を行う技術が開発されている。
【先行技術文献】
【特許文献】
【０００３】
【特許文献１】特開２００３−２４２２０３号公報
【発明の概要】
【発明が解決しようとする課題】
【０００４】
ところで、建物の外周には、凹凸が形成される場合が多い。換言すれば、他の外壁面よりも室内側に後退した位置に外壁面が形成された箇所（凹部）を有する建物が建築される場合が多い。
このように凹凸のある建物の設計に、例えば特許文献１に記載の技術を採用した場合には、開口部に配される外装部材の割付作業を、凹凸のある外周線に沿って行い、その後、開口部に配される外装部材に応じて、外壁パネルである外装部材の配置が自動的に行われる。
ところが、開口部に配される外装部材と外壁パネルである外装部材とのバランスが良くないと、その都度調整が必要となるため、建物の設計時におけるより一層の手間の軽減が望まれていた。
【０００５】
本発明の課題は、建物の設計を行うに当たって、外壁の割付図およびオーダーをより簡易に作成することが可能な建物の設計システムを提供することを目的とする。
【課題を解決するための手段】
【０００６】
請求項１に記載の発明は、例えば図１〜図１０に示すように、外周に沿って凹部（玄関、インナー部）が形成された凹凸のある建物における外壁１０の割付図の作成作業を支援する設計システム１において、
前記凹部を含んだ場合の前記建物の仮想的な外周の範囲を表す建物領域２１と、前記建物領域２１と重なり合うように配置される前記凹部の範囲を表す凹部領域（玄関領域２２、インナー領域２３）に基づいて、前記建物の外周領域２４を形成して線で表す外周領域形成手段（例えば、制御部２、入力部３、表示部４、記憶部５）と、
前記外周領域形成手段によって形成された前記外周領域２４を表す線に沿って、前記外壁１０を表す線の自動生成を行う外壁自動生成手段（例えば、制御部２、入力部３、表示部４、記憶部５）と、を備え、
前記外壁１０は、前記建物の外側に配置される外壁材１１と、前記建物の室内側に配置される外周間仕切材１２と、を含んで構成されており、
前記外壁自動生成手段によって、少なくとも前記外壁材１１と前記外周間仕切材１２を表す線を自動生成することを特徴とする。
【０００７】
請求項１に記載の発明によれば、外周領域形成手段によって建物領域２１と凹部領域２２，２３に基づいて外周領域２４を形成して線で表し、外壁自動生成手段によって外周領域２４に沿って外壁を表す線の自動生成を行うので、建物の設計を行うに当たって、外周領域形成手段によって外周領域２４を形成すれば、外壁１０を表す線を簡易に自動生成することができる。これによって、例えば窓等の開口部に配される外装部材等を考慮する必要がなく、従来に比して、外壁１０の割付図およびオーダーをより簡易に作成することができる。
【０００９】
また、外壁自動生成手段によって、少なくとも外壁材１１と外周間仕切材１２を表す線を自動生成するので、外壁１０の設計を、外壁材１１と外周間仕切材１２を含むようにして詳細に行うことができる。
【００１０】
請求項２に記載の発明は、例えば図１〜図１０に示すように、請求項１に記載の建物の設計システム１において、
前記凹部は、前記建物の最も外側に位置する外壁面よりも室内側に後退した位置に外壁面が形成される箇所であり、
当該箇所は、玄関または／および当該玄関以外の凹部であるインナー部とされていることを特徴とする。
【００１１】
請求項２に記載の発明によれば、建物の最も外側に位置する外壁面よりも室内側に後退した位置に外壁面が形成される箇所は、玄関または／および当該玄関以外の凹部であるインナー部とされているので、外壁１０の設計を、玄関または／および当該玄関以外の凹部であるインナー部を含むようにして詳細に行うことができる。
【００１２】
請求項３に記載の発明は、例えば図６〜図９に示すように、請求項１または２に記載の建物の設計システム１において、
前記凹部領域２２，２３は複数の辺２２ａ，２３ａを備え、
当該複数の辺２２ａ，２３ａのうち少なくとも一辺２２ａ，２３ａは、前記建物領域２１に対して重なり合っており、
前記建物領域２１に対して重なり合う前記凹部領域２２，２３の前記少なくとも一辺２２ａ，２３ａは、屋外に向かって開口する開口部２２ｂ，２３ｂが位置する辺２２ａ，２３ａであることを特徴とする。
【００１３】
請求項３に記載の発明によれば、建物領域２１に対して重なり合う凹部領域２２，２３の少なくとも一辺２２ａ，２３ａは、屋外に向かって開口する開口部２２ｂ，２３ｂが位置する辺であるため、外壁１０の設計を、開口部２２ｂ，２３ｂを含むようにして詳細に行うことができる。
【００１４】
請求項４に記載の発明は、例えば図１〜図１０に示すように、外周に沿って凹部が形成された凹凸のある建物における外壁１０の割付を、当該外壁１０の割付図の作成作業を支援する設計システム１によって行う建物の設計方法において、
前記外壁１０は、前記建物の外側に配置される外壁材１１と、前記建物の室内側に配置される外周間仕切材１２と、を含んで構成されたものであり、
前記設計システム１に対して、前記外壁１０の自動生成を行うためのプログラム（例えば、外周間仕切材自動生成プログラムＰ３、外壁材自動生成プログラムＰ４等）を予め記憶させておき、
前記設計システム１によって、前記凹部を含んだ場合の前記建物の仮想的な外周の範囲を表す建物領域２１と、前記建物領域２１と重なり合うように配置される前記凹部の範囲を表す凹部領域２２，２３とを作成することによって前記建物の外周領域２４を形成して線で表し、
その後、前記設計システム１によって、前記プログラムに基づいて前記外周領域２４を表す線に沿って前記外壁１０を表す線の自動生成を行う際に、少なくとも前記外壁材１１と前記外周間仕切材１２を表す線を自動生成することを特徴とする。
【００１５】
請求項４に記載の発明によれば、設計システム１によって、建物領域２１と凹部領域２２，２３とを作成することによって建物の外周領域２４を形成して線で表し、その後、設計システム１によって、プログラムに基づいて外周領域２４を表す線に沿って外壁１０を表す線の自動生成を行うので、建物の設計を行うに当たって、設計システム１によって外周領域２４を形成すれば、予め記憶されたプログラムに基づいて外壁１０を表す線を簡易に自動生成することができる。これによって、従来に比して、外壁１０の割付図およびオーダーをより簡易に作成することができる。
また、外壁自動生成手段によって、少なくとも外壁材１１と外周間仕切材１２を表す線を自動生成するので、外壁１０の設計を、外壁材１１と外周間仕切材１２を含むようにして詳細に行うことができる。
【発明の効果】
【００１６】
本発明によれば、建物の設計を行うに当たって、外壁の割付図およびオーダーをより簡易に作成することが可能となる。
【図面の簡単な説明】
【００１７】
【図１】建物の設計システムの概略構成を示す図である。
【図２】建物の販売データを示す図である。
【図３】外周領域を形成する手順を概略的に示す図である。
【図４】建物領域に重なり合う凹部領域の作成方法を説明する図であり、（ａ）は凹納まりの場合であり、（ｂ）はＬ納まりの場合である。
【図５】建物領域に重なり合う玄関領域である面納まり玄関を示す図である。
【図６】建物領域に重なり合うＬ納まりの場合の凹部領域の例を示す図である。
【図７】凹部領域における開口部の位置を説明する図である。
【図８】支持柱を配置する例を示す図である。
【図９】サッシ枠を配置する方法を説明する図である。
【図１０】自動生成された外壁を示す部分拡大図である。
【発明を実施するための形態】
【００１８】
以下、図面を参照して本発明の実施の形態について説明する。
本実施の形態における建物の設計システム１は、外周に沿って凹部が形成された凹凸のある建物における外壁の割付図の作成作業を支援するものであり、特に、建物各階の外壁１０の割付（割付図）と、外壁１０の割付に係る各種部材（外壁材１１等）の必要な量を明記したオーダー（明細書）の作成に係るシステムである。
なお、外周に沿って形成される凹部（凹凸）とは、建物の各階を平面視した場合に、最も外側に位置する外壁面よりも室内側に後退した位置に外壁面が形成される箇所を指している。より具体的には、当該箇所は、玄関または／およびインナー部とされている。インナー部とは玄関以外の凹部であり、建物外壁のうち室内側に凹むように後退した箇所を指している（例えば建物における入隅コーナー部やインナーバルコニーのある箇所等を指す）。
【００１９】
本実施の形態における建物の設計システム１は、凹部を含んだ場合の建物の仮想的な外周の範囲を表す建物領域２１と、建物領域２１と重なり合うように配置される凹部の範囲を表す凹部領域２２，２３に基づいて、建物の外周領域２４を形成して線で表す外周領域形成手段と、外周領域形成手段によって形成された外周領域２４を表す線に沿って、外壁１０を表す線の自動生成を行う外壁自動生成手段と、を備える。また、後述するが、その他にも、両袖外壁１５を自動生成する手段や、屋根のパラペットを自動生成する手段等を備えるものとする。
そして、当該設計システム１における各種手段は、図１に示すように、制御部２と、入力部３と、表示部４と、記憶部５および当該記憶部５に記憶される各種データ、各種プログラムと、によって構成されている。
【００２０】
設計システム１によって設計される建物は、鉄骨躯体に、取付具を介して外壁材１１が取り付けられることによって外壁面が構成される住宅等の建物である。躯体は、鉄骨軸組構造を採用したものであり、外壁材１１は、当該躯体を構成する梁（横材）に対して取り付けられる。
なお、本実施の形態における建物は、鉄骨軸組構造を採用した躯体を備えるものとしたが、これに限られるものではない。例えば、直方体フレーム状に形成された建物ユニットを組み合わせてなるユニット式建物であってもよい。
【００２１】
外壁材１１としては、ＰＡＬＣ（Precastable Autoclaved Lightweight Ceramics）などの気泡コンクリート材料からなるパネル状体が採用されている（図１０参照）。また、ＰＡＬＣからなる外壁材１１以外にも、ＡＬＣ（Autoclaved Lightweight aerated Concrete）からなるパネル状体等のコンクリート製外壁材や、その他の材質の外壁材が用いられてもよいものとする。
また、外壁材１１と共に外壁１０を構成するものとして外周間仕切材１２がある。当該外周間仕切材１２は、建物の室内空間において最も外壁１０側に位置する面、すなわち内壁面であり、具体的には石膏ボード等の内壁材が用いられる。
すなわち、外壁１０は、建物の外側に配置される外壁材１１と、建物の室内側に配置される外周間仕切材１２と、を含んで構成されている。
【００２２】
また、外壁１０には、玄関のドアサッシや窓サッシ等のサッシ枠（開口部）が適宜設けられる。当該サッシ枠の位置は、入力部３による入力で指定することができるようになっている（後述する）。
【００２３】
また、建物には、最も外側に位置する外壁面よりもさらに外側に、付属構造物が設けられる場合がある。
図２に示すように、建物が、例えば集合住宅である場合には、外廊下１３や外階段１４等の付属構造物が設けられる。その他にも、例えばキャンチ式のバルコニーや庇、パーゴラ、サンルーム等のように外壁１０に対して付属する形態で、屋外に設置されるものが付属構造物として挙げられる。
【００２４】
また、建物の最上部には屋根が設けられる。屋根は陸屋根が採用されており、当該陸屋根の外周縁には、屋根面よりも上方に立ち上がるパラペットが設けられる。
パラペットの外側面は、屋根よりも下方の建物本体に用いられる外壁材１１と同様の外壁材１１によって構成されており、互いに連続して設けられる。したがって、設計システム１によって外壁１０の割付図を作成する際には、屋根のパラペットにおける外壁材１１の割付も行われる。
【００２５】
また、本実施の形態における建物の設計は、図２に示すような、販売営業所にて設定された建物情報（販売データ）に基づき、建物ごとに、外壁材１１や外周間仕切材１２、開口部に取付けられる各サッシ枠、付属構造物の配置、仕様の選定が行われている。
図２に示す販売データは、具体的には、集合住宅である建物に係るものであり、建物領域２１は、当該販売データに基づいて形成される。
なお、本実施の形態における建物の設計システム１は、このように集合住宅の設計に採用されるが、集合住宅に限られるものではなく、本発明の趣旨を逸脱しない範囲で適宜変更可能である。
【００２６】
設計システム１を構成する制御部２は、設計システム１の各部を制御するものである。具体的には、制御部２は、ＣＰＵ（Central Processing Unit）、ＲＡＭ（Random Access Memory）、ＲＯＭ（Read Only Memory）を備え、設計システム１用の各種処理プログラムに従って各種動作を行う。すなわち、当該制御部２による制御に基づいて、設計システム１を構成する上述の各種手段を実行することができる。
【００２７】
入力部３は、設計システム１に対して各種指示を入力するためのものである。具体的には、文字、数値等を入力するためのデータ入力キーや、データの選択、送り操作等を行うための上下左右移動キーや各種機能キー等によって構成される操作部を備えている。制御部２は、入力部３から出力され入力された操作信号に従って所定の動作を各部に実行させる。
【００２８】
表示部４は、例えば、液晶表示パネルや有機ＥＬ表示パネル等によって構成されており、設計システム１によって作成される割付図を表示する。また、その他にも、外壁１０が割り付けられた状態の立面図を始めとする各種割付図や、工場発注用データファイル、積算データファイル等のオーダーを表示する。
【００２９】
記憶部５は、例えば、ＨＤＤ（Hard Disk Drive）等の大容量記録媒体によって構成されており、割付図の作成に必要な各種データや各種プログラム、作成された割付図やオーダー等のデータを記憶する。
図１に示すように、割付図の作成に必要な各種データとしては、建物領域データＤ１、玄関領域データＤ２、インナー領域データＤ３、外周領域データＤ４、屋根領域データＤ５が挙げられる。
また、各種プログラムとしては、両袖外壁自動生成プログラムＰ１、モジュール自動生成プログラムＰ２、外周間仕切材自動生成プログラムＰ３、外壁材自動生成プログラムＰ４、パラペット自動生成プログラムＰ５が挙げられる。
【００３０】
建物領域データＤ１、玄関領域データＤ２、インナー領域データＤ３、外周領域データＤ４、屋根領域データＤ５は、オペレーターが操作する入力部３によって販売データに基づいて入力された建物領域２１、玄関領域２２、インナー領域２３、外周領域２４、屋根領域の各種データである。
各種データＤ１〜Ｄ５は、入力部３による入力中に表示部４に表示されるとともに、入力後（または入力中）に記憶部５に記憶される。
【００３１】
両袖外壁自動生成プログラムＰ１、モジュール自動生成プログラムＰ２、外周間仕切材自動生成プログラムＰ３、外壁材自動生成プログラムＰ４、パラペット自動生成プログラムＰ５は、オペレーターによって入力され記憶された各種データＤ１〜Ｄ５に基づいて、表示部４上で、両袖外壁１５を表す線、モジュール線１６、外周間仕切材１２を表す線、外壁材１１を表す線、パラペットを表す線を自動生成するための各種プログラムである。
各種プログラムＰ１〜Ｐ５によって自動生成された両袖外壁１５、モジュール線１６、外周間仕切材１２、外壁材１１、パラペットは、外壁１０の割付図として表示部４に表示される。
【００３２】
建物領域２１とは、凹凸のある建物の各階を平面視した場合に、最も外側に位置する外壁面に沿って入力された閉じられた領域２１である。すなわち、最も外側に位置する外壁面に沿って、かつ凹凸に関係なく建物を囲む線によって形成された領域２１である。さらに換言すれば、この建物領域２１とは、平面視において、外壁面の凹凸を考慮しない場合の建物の外郭の範囲を表している。
例えば図３（ａ）に示すように、平面視矩形状の閉じられた領域２１として表示部４に表示される。なお、本実施の形態において建物領域２１は、平面視矩形状とするが、これに限られるものではなく、他の多角形状の領域としてもよい。
なお、外廊下１３や外階段１４等の付属構造物は建物領域２１には含まれないものとなっている。
【００３３】
凹部領域２２，２３とは、図２〜図４に示すように、建物領域２１と重なり合うように配置される凹部の範囲を表しており、複数の辺２２ａ，２３ａを備える。すなわち、例えば建物領域２１が矩形状の場合は四本の辺２２ａ，２３ａを備えており、当該複数の辺２２ａ，２３ａのうち少なくとも一辺が、建物領域２１に対して重なり合っている。
図６，図７に示すように、建物領域２１に対して重なり合う凹部領域２２，２３の少なくとも一辺２２ａ，２３ａは、屋外に向かって開口する開口部２２ｂ，２３ｂが位置する辺である。建物領域２１のうち、開口部２２ｂ，２３ｂが位置する辺２２ａ，２３ａが重なり合う位置は、図３（ｄ）に示すように屋外に向かって開口した状態となる。
このような凹部領域２２，２３としては、凹部である玄関の領域（位置・範囲）を表す玄関領域２２と、凹部であるインナー部の領域（位置・範囲）を表すインナー領域２３とが挙げられる。
【００３４】
玄関領域２２およびインナー領域２３は、建物領域２１と重なり合うようにして配置される。玄関領域２２およびインナー領域２３は、図３および図４に示すように、一辺だけが建物領域２１と重なり合う場合と、二辺以上が建物領域２１と重なり合う場合がある。そして、このように重なり合う少なくとも一辺２２ａ，２３ａが、上述のように屋外に向かって開口している。
図４（ａ）において玄関領域２２およびインナー領域２３は平面視矩形状に形成され、一辺だけが建物領域２１と重なり合っている。すなわち、図４（ａ）における玄関領域２２およびインナー領域２３は「凹納まり」となっている。また、このような凹納まりの玄関領域２２およびインナー領域２３は、建物領域２１の内側に配置される。
図４（ｂ）において玄関領域２２およびインナー領域２３は平面視矩形状に形成され、二辺が建物領域２１と重なり合っている。すなわち、図４（ｂ）における玄関領域２２およびインナー領域２３は「Ｌ納まり」となっている。また、このようなＬ納まりの玄関領域２２およびインナー領域２３は、建物領域２１の内側に配置される。
図５に示す玄関領域２２は直線状に形成されて建物領域２１と重なり合っている。すなわち、図５における玄関領域２２は「面納まり」となっている。面納まり玄関の場合は、インナー領域２３と組み合わせてもよい。すなわち、インナー部を構成する外壁１０に対して面納まり玄関を設けることができる。
なお、玄関領域２２およびインナー領域２３は、設計作業時に、床がある場合と床がない場合とを選択することができる。
【００３５】
外周領域２４とは、建物領域２１と凹部領域２２，２３に基づいて形成される建物の領域を線で表したものである。より具体的には、図３に示すように、建物領域２１から凹部領域２２，２３の分を差し引いて形成される領域が外周領域２４となっている。このように形成された外周領域２４を表す線は、実際に販売される建物の外周に沿っている（販売データに近い形状となっている）。そのため、当該外周領域２４に沿って外壁材１１および外周間仕切材１２の割付を行えば、割付図を簡易に作成できることになる。
そして、このように形成される外周領域２４を表す線に沿って、外壁材１１と外周間仕切材１２を表す線を自動生成することができる。
【００３６】
屋根領域とは、建物の最上部に設けられる陸屋根の領域を線で表すものであり、販売データに含まれる屋根の形状に合わせて形成される。なお、屋根領域も、建物の各階の一つとして考え、建物領域２１と凹部領域２２，２３に基づいて形成される。すなわち、建物各階の外周領域２４を形成する方法と、屋根領域を形成する方法は同じである。
そして、このように形成される屋根領域を表す線に沿って、パラペットを表す線の自動生成を行うことができる。
【００３７】
両袖外壁自動生成プログラムＰ１とは、図２に示すように、外壁１０から離間して設けられる両袖外壁１５を自動生成するためのプログラムである。両袖外壁１５は、その周囲が外壁材１１によって被覆された状態となっており、付属構造物である外廊下１３や外階段１４に設けられる場合が多い。
なお、当該両袖外壁自動生成プログラムＰ１によれば、オペレーターが指示した位置に両袖外壁１５を表す線を形成することができる。
【００３８】
モジュール自動生成プログラムＰ２とは、設計された割付図の面積を算定するために必要な基準線となるモジュール線１６を自動生成するためのプログラムである。モジュール線１６は、図１０に示すように、予め設定された基準寸法に基づいて生成される。外壁材１１や外周間仕切材１２等を始めとする外壁１０を構成する各種部材や、建物自体を構成する柱や梁等の構造材やその他の各種構成部材も、予め設定された前記基準寸法に基づいて製造されるものであり、モジュール線１６を自動生成すれば、外壁１０の割付に係る各種部材（外壁材１１等）の必要な量を明記したオーダーを作成することができる。
なお、図１０において一点鎖線で表されたモジュール線１６は、表示部４上で縦横にマス目状に配置される。
また、当該モジュール線１６は、表示部４の作成画面に表示されるグリッド線を利用して自動生成してもよい。
【００３９】
外周間仕切材自動生成プログラムＰ３とは、外周領域２４の作成後に、当該外周領域２４に沿って外周間仕切材１２を表す線を自動生成するためのプログラムである。
外周間仕切材１２を表す線は、図１０に示すように、外周領域２４を表す線が芯となるように、当該外周領域２４を表す線を挟むようにして二本生成される。二本の線のうち室内側に位置するものが上述した内壁材の線であり、屋外側に位置する線は、柱や梁等の構造材の厚みを考慮した線となっている。
【００４０】
外壁材自動生成プログラムＰ４とは、外周領域２４の作成後に、当該外周領域２４に沿って外壁材１１を表す線を自動生成するためのプログラムである。
外壁材１１を表す線は、図１０に示すように、モジュール線１６が芯となるように、当該モジュール線１６を挟むようにして二本生成される。当該二本の線は、外壁材１１の厚みを考慮した線となっている。
【００４１】
パラペット自動生成プログラムＰ５とは、屋根領域の作成後に、当該屋根領域を表す線に沿ってパラペットを表す線と、そのパラペットの外側面を構成する外壁材１１を表す線を自動生成するためのプログラムである。
パラペットにおける外壁材１１を表す線は、基本的に屋根領域の外周縁に沿って配置される。また、パラペットにおける外壁材１１と建物本体側の外壁材１１とが上下方向に連続する場合は、パラペットにおける外壁材１１を表す線と、建物本体側の外壁材１１を表す線とが重なり合う位置に配置される。
【００４２】
ここで、上述のように構成された建物の設計システム１が行う処理について、図１〜図１０を参照して説明する。
なお、図２に示す建物と図３〜図１０に示す建物は、そのディテールが異なるものとなっているが、図３〜図１０の各図は、説明の便宜上、概略化・簡略化したものであり、発明を解釈する上での齟齬は生じないものとする。
【００４３】
まず予め、設計システム１の記憶部５に対して、両袖外壁自動生成プログラムＰ１、モジュール自動生成プログラムＰ２、外周間仕切材自動生成プログラムＰ３、外壁材自動生成プログラムＰ４、パラペット自動生成プログラムＰ５を記憶させておく。
【００４４】
続いて、販売営業所にて設定された販売データを取得し、記憶部５に対して記憶させる。販売データにある建物は、凹凸のある建物となっている。
オペレーターは、まず、入力部３を操作し、取得した販売データに基づいて建物領域２１の作成を表示部４上で行う。すなわち、図２に示す例では、外廊下１３および外階段１４を除き、かつ凹部領域２２，２３を含んだ状態で建物の仮想的な外周の範囲を表す建物領域２１の線を作成する。図２に例示する建物の場合は、平面視矩形状の建物領域２１が作成される。そして、作成された建物領域２１に係るデータは、建物領域データＤ１として記憶部５に記憶される。
【００４５】
続いて、オペレーターは、入力部３を操作し、図３（ｂ）に示すように、建物領域２１と重なり合うように配置される凹部（玄関・インナー部）の範囲を表す凹部領域２２，２３（玄関領域２２、インナー領域２３）の作成を表示部４上で行う。なお、凹部領域２２，２３の位置や範囲は、販売データに基づいてオペレーターが指定する。
凹部領域２２，２３の入力についてより詳細に説明すると、図４に示すように、まずは凹部領域２２，２３の位置に対応して始点であるＰ点を入力し、予定する凹部領域２２，２３の範囲に対して終点であるＱ点を入力する。Ｑ点は、Ｐ点に対して凹部領域２２，２３の対角に位置する。また、Ｐ点は、建物領域２１の線上に配置され、Ｑ点は、建物領域２１内に配置される。
凹部領域２２，２３を凹納まりとする場合は、図４（ａ）に示すように、凹部領域２２，２３を構成する一辺２２ａ，２３ａを、建物領域２１を表す線に重ね合わせる。
凹部領域２２，２３をＬ納まりとする場合は、図４（ｂ）に示すように、凹部領域２２，２３を構成する直交する二辺２２ａ，２３ａを、建物領域２１を表す直交する線に重ね合わせる。なお、Ｌ納まりの場合のＰ点は、建物領域２１の線上であって、かつ二つの線が交差する角部に配置される。
【００４６】
なお、玄関が面納まり玄関である場合には、図５に示すように、Ｐ点とＱ点の双方が、建物領域２１を表す線のうち同一の線上に配置される。
【００４７】
続いて、オペレーターは、販売データに基づいて入力部３を操作し、図３（ｃ），図６，図７に示すように、凹部領域２２，２３を構成する辺のうち、建物領域２１を表す線上に配置された辺の少なくとも一辺２２ａ，２３ａ（破線で示した辺２２ａ，２３ａ）を、開口部２２ｂ，２３ｂが位置する辺として指定する。
凹納まりの場合は、建物領域２１を表す線と重なり合う辺２２ａ，２３ａは一つであるため、当該辺２２ａ，２３ａが開口部２２ｂ，２３ｂが位置する辺となる。
Ｌ納まりの場合は、建物領域２１を表す線と重なり合う辺２２ａ，２３ａは二つである。そのため、開口部２２ｂ，２３ｂが位置する辺は、図６に示すように、二つの辺２２ａ，２３ａの双方が開口部２２ｂ，２３ｂが位置する辺とされる場合と、図７（ａ），（ｂ）に示すように、いずれか一方の辺２２ａ，２３ａが開口部２２ｂ，２３ｂが位置する辺とされる場合とがある。
二つの辺２２ａ，２３ａのうち、いずれか一方の辺２２ａ，２３ａが開口部２２ｂ，２３ｂが位置する辺とされる場合には、開口部２２ｂ，２３ｂが位置しない方の辺は袖壁２２ｃ，２３ｃとなり、外壁１０が設けられる対象となる。
【００４８】
凹部に対してポーチ柱等の支持柱１７が設けられる場合がある。当該支持柱１７は、例えば建物の下階にＬ納まりの玄関またはインナー部が形成され、上階に当該玄関またはインナー部の上方に位置する部屋やバルコニー等の上部構造が設けられる場合に、当該上部構造を支持するものである。
より具体的には、凹部領域２２，２３がＬ納まりであって、かつ二方向が開口部２２ｂ，２３ｂとされ、さらに凹部領域２２，２３の上方に上部構造が設けられる場合には、図８に示すように、支持柱１７が自動生成される。
なお、支持柱１７を自動生成するために、図示はしないが、記憶部５には支持柱１７用の自動生成プログラムが記憶されているものとする。凹部領域２２，２３がＬ納まりではない場合や、Ｌ納まりであっても、二方向が開口部２２ｂ，２３ｂとされない場合、上部構造が設けられない場合には、当該自動生成プログラムは開始されないものとする。
【００４９】
凹部に対して玄関出入口や窓のような開口部が設けられる場合には、玄関のドアサッシや窓サッシ等のサッシ枠が設けられる。
サッシ枠を設ける位置を入力部３による入力で指定できるようにするために、凹部領域２２，２３を構成する辺２２ａ，２３ａに対し、サッシグリッド２５を自動生成することができる。当該サッシグリッド２５は、図９に示すように、凹部領域２２，２３を構成する辺２２ａ，２３ａの長さ方向に等間隔に複数形成される。
また、複数のサッシグリッド２５の間隔は、規格化されたサッシ枠のサイズに対応しており、サッシ枠のサイズは任意に選択できる。
さらに、選択されるサッシ枠の種類に応じて、サッシ枠の上下に配置される外壁材１１および外周間仕切材１２のサイズも適宜選択される。
なお、サッシグリッド２５を自動生成するために、図示はしないが、記憶部５にはサッシグリッド２５用の自動生成プログラムが記憶されているものとする。凹部に開口部が設けられない場合には、当該自動生成プログラムは開始されないものとする。
【００５０】
そして、以上のようにして作成された凹部領域（玄関領域２２、インナー領域２３）に係るデータは、玄関領域データＤ２、インナー領域データＤ３として記憶部５に記憶される。
【００５１】
以上のようにして建物領域２１と重なり合うように凹部領域２２，２３を配置し、開口部２２ｂ，２３ｂを指定した後に、当該開口部２２ｂ，２３ｂを表す線（破線）を不可視化することによって、図３（ｄ）に示すような外周領域２４を表示部４上に作成することができる。
より詳細に説明すると、オペレーターは、建物領域データＤ１に対して、玄関領域データＤ２およびインナー領域データＤ３を付加することによって外周領域データＤ４を作成することができる。このように作成された外周領域データＤ４は記憶部５に記憶される。
【００５２】
続いて、オペレーターは、入力部３を操作し、取得した販売データに基づいて屋根領域の作成を表示部４に表示される作成画面上で行う。そして、このように作成された屋根領域に係るデータは、屋根領域データＤ５として記憶部５に記憶される。
なお、屋根領域の作成は、屋根よりも下方の建物本体の外壁１０の割付が完了した後に行ってもよいものとする。
【００５３】
続いて、オペレーターは、入力部３を操作して、表示部４上で、外廊下１３や外階段１４等の付属構造物を、建物領域２１に添わせるようにして配置する。
なお、図２に例示されるように、付属構造物に対して両袖外壁１５が設けられる場合には、両袖外壁自動生成プログラムＰ１を開始する。当該プログラムＰ１を開始すると、周囲が外壁材１１によって被覆された状態の両袖外壁１５を自動生成することができる。
また、図２に例示される支持柱１８も、両袖外壁自動生成プログラムＰ１によって自動生成される。すなわち、両袖外壁１５の場合は、両袖外壁自動生成プログラムＰ１によって「線」として認識され、支持柱１８の場合は、両袖外壁１５の一種として「点」として認識されることにより自動生成することができる。
付属構造物として外廊下１３や外階段１４以外のものが採用され、両袖外壁１５を自動生成する必要がある場合には、両袖外壁自動生成プログラムＰ１によって両袖外壁１５または支持柱１８が適宜自動生成される。
【００５４】
続いて、オペレーターは、モジュール自動生成プログラムＰ２を開始して、表示部４の作成画面上に、設計された割付図の面積を算定するために必要な基準線となるモジュール線１６を自動生成する（図１０参照）。
【００５５】
続いて、オペレーターは、外周間仕切材自動生成プログラムＰ３を開始して、表示部４の作成画面上に、外周領域２４を表す線に沿って外周間仕切材１２を自動生成する。
外周間仕切材１２を表す線は、外周領域２４を表す線が芯となるように、当該外周領域２４を表す線を挟むようにして二本生成される（図１０参照）。
【００５６】
続いて、オペレーターは、外壁材自動生成プログラムＰ４を開始して、表示部４の作成画面上に、外周領域２４を表す線に沿って外壁材１１を自動生成する。
外壁材１１を表す線は、モジュール線１６が芯となるように、当該モジュール線１６を挟むようにして二本生成される（図１０参照）。
なお、外周間仕切材１２を表す線のうち室内側に位置する線と、外壁材１１を表す線のうち屋外側に位置する線との間隔が外壁１０の厚み（壁厚）として認識される。
【００５７】
続いて、オペレーターは、パラペット自動生成プログラムＰ５を開始して、表示部４の作成画面上に、屋根領域を表す線に沿ってパラペットを表す線と、そのパラペットの外側面を構成する外壁材１１を表す線を自動生成する。
パラペットにおける外壁材１１を表す線は、基本的に屋根領域の外周縁に沿って配置される。
【００５８】
以上のように各種プログラムを実行することによって、凹凸のある建物の外壁１０の割付を行うことができる。また、玄関ドアや窓も、サッシグリッド２５用の自動生成プログラムによってサッシ枠の位置を簡易に指定できるので、サッシ枠の割付も行うことができる。これにより、外壁１０が割り付けられた状態の平面図および立面図の両パターンの割付図を作成することができる。本実施の形態の設計システム１および設計方法では、外壁１０ありきで設計（外壁１０の割付）が行われることになるので、従来に比して簡易に設計できるようになっている。なお、立面図は、以上のようにして作成された平面図から導き出して作成することができる。
また、設計された割付図の面積を算定するために必要な基準線となるモジュール線１６が、割付図に対して付加された状態となっているので、工場発注用データファイル、積算データファイル等、外壁１０の割付に係る各種部材（外壁材１１等）の必要な量を明記したオーダーを簡易に作成することができる。
なお、本実施の形態の設計システム１によれば、凹凸のある建物だけでなく、凹凸のない建物における外壁１０の割付も行うことができる。
【００５９】
本実施の形態における建物の設計システムによれば、外周領域形成手段によって建物領域２１と凹部領域２２，２３に基づいて外周領域２４を形成して線で表し、外壁自動生成手段によって外周領域２４に沿って外壁を表す線の自動生成を行うので、建物の設計を行うに当たって、外周領域形成手段によって外周領域２４を形成すれば、外壁１０を表す線を簡易に自動生成することができる。これによって、例えば窓等の開口部に配される外装部材等を考慮する必要がなく、従来に比して、外壁１０の割付図およびオーダーをより簡易に作成することができる。
【００６０】
また、外壁自動生成手段によって、少なくとも外壁材１１と外周間仕切材１２を表す線を自動生成するので、外壁１０の設計を、外壁材１１と外周間仕切材１２を含むようにして詳細に行うことができる。
【００６１】
また、建物の最も外側に位置する外壁面よりも室内側に後退した位置に外壁面が形成される箇所は、玄関または／および当該玄関以外の凹部であるインナー部とされているので、外壁１０の設計を、玄関または／および当該玄関以外の凹部であるインナー部を含むようにして詳細に行うことができる。
【００６２】
また、建物領域２１に対して重なり合う凹部領域２２，２３の少なくとも一辺２２ａ，２３ａは、屋外に向かって開口する開口部２２ｂ，２３ｂが位置する辺であるため、外壁１０の設計を、開口部２２ｂ，２３ｂを含むようにして詳細に行うことができる。
【００６３】
また、本実施の形態における建物の設計方法によれば、設計システム１によって、建物領域２１と凹部領域２２，２３とを作成することによって建物の外周領域２４を形成して線で表し、その後、設計システム１によって、プログラムに基づいて外周領域２４を表す線に沿って外壁１０を表す線の自動生成を行うので、建物の設計を行うに当たって、設計システム１によって外周領域２４を形成すれば、予め記憶されたプログラムに基づいて外壁１０を表す線を簡易に自動生成することができる。これによって、従来に比して、外壁１０の割付図およびオーダーをより簡易に作成することができる。
【符号の説明】
【００６４】
１  設計システム
２  制御部
３  入力部
４  表示部
５  記憶部
１０  外壁
１１  外壁材
１２  外周間仕切材
２１  建物領域
２２  玄関領域
２２ａ  辺
２２ｂ  開口部
２３  インナー領域
２３ａ  辺
２３ｂ  開口部
２４  外周領域
Ｄ１  建物領域データ
Ｄ２  玄関領域データ
Ｄ３  インナー領域データ
Ｄ４  外周領域データ
Ｐ３  外周間仕切材自動生成プログラム
Ｐ４  外壁材自動生成プログラム
【図１】
0006401981.tif 000002
【図２】
0006401981.tif 000003
【図３】
0006401981.tif 000004
【図４】
0006401981.tif 000005
【図５】
0006401981.tif 000006
【図６】
0006401981.tif 000007
【図７】
0006401981.tif 000008
【図８】
0006401981.tif 000009
【図９】
0006401981.tif 000010
【図１０】
0006401981.tif 000011